(57)【要約】【課題】ゲーム機用コントローラを装着可能なゲーム機用コントローラホルダにおいて、装着方法が簡単でありながら、給電も可能な構造を提供する。【解決手段】指先によって操作可能な複数の操作スイッチ（４６ａ、４６ｂ）を設けたゲーム機用コントローラ（２ａ、２ｂ）を収容可能な凹所として形成した２カ所の装着部（３ａ、３ｂ）と、収容したゲーム機用コントローラ（２ａ、２ｂ）を固定する操作式の固定手段（９）と、固定手段（９）と連動する可動部材（２１）に設けられた給電用電極と、外部から電力を取得する電力取得手段と、取得した電力を給電用電極に伝達する伝達手段と、固定手段（９）の操作によってゲーム機用コントローラ（２ａ、２ｂ）が固定されるとともに、可動部材（２１）の移動に伴って給電用電極が移動し、給電用電極が前記ゲーム機用コントローラ（２ａ、２ｂ）の被給電用電極に接触するよう構成されたことを特徴とする。【選択図】図１
0003230077.tif 000002
【実用新案登録請求の範囲】
【請求項１】
把持した手の指先によって操作可能な複数の操作スイッチを設けたゲーム機用コントローラを収容可能な凹所として形成した２カ所の装着部と、
前記２カ所の装着部において収容した前記ゲーム機用コントローラを固定する操作式の固定手段と、
前記固定手段と連動して移動する給電用電極を設けた可動部材と、
外部電源から電力を取得する電力取得手段と、
前記電力取得手段によって取得した電力を前記給電用電極に伝達する伝達手段と、
前記固定手段の操作によって前記ゲーム機用コントローラが固定されるとともに、前記可動部材の移動に伴って前記給電用電極が前記ゲーム機用コントローラの被給電用電極に接触するよう構成されたことを特徴とする給電機能付きゲーム機用コントローラホルダ。
【請求項２】
前記ゲーム機用コントローラが、
前記複数の操作スイッチを配置した平面状の操作面と、
当該操作面と直交する長手方向の側面に設けられた操作するゲーム機に装着するための装着手段を有し、
前記被給電用電極が前記装着手段の末端に設けられた突出部の内面に設けられたものであることを特徴とする請求項１記載の給電機能付きゲーム機用コントローラホルダ。
【請求項３】
前記２カ所の装着部は、前記ゲーム機用コントローラの操作面と当該操作面前方の前側面部を除く外周面を覆う凹所として形成されていることを特徴とする請求項２記載の給電機能付きゲーム機用コントローラホルダ。
【請求項４】
前記固定手段は、前方部において軸支された回動可能な略長方形状の板状体として前記２カ所の装着部の間に配置されており、
長手方向の両側縁に前記ゲーム機用コントローラの装着手段と係合して前記装着部からの離脱を防止する係合手段を備えたものであり、
回動する端部の内面側に前記可動部材との係合によって当該可動部材を移動させる突起を設けたことを特徴とする請求項１乃至請求項３の何れか一項記載の給電機能付きゲーム機用コントローラホルダ。
【請求項５】
前記固定手段に設けた係合手段が、下方に向かって形成した凸条であって、当該凸条を前記ゲーム機用コントローラの装着手段として形成した溝に係合させるものであることを特徴とする請求項４記載の給電機能付きゲーム機用コントローラホルダ。
【考案の詳細な説明】
【技術分野】
【０００１】
本発明はゲーム機用コントローラホルダに関するものである。
【背景技術】
【０００２】
液晶ディスプレイを備えた矩形の外形を有するハンドヘルド型のゲーム装置本体を有するとともに、このゲーム装置本体の左右の側縁に対してゲーム機用コントローラを着脱可能に設けた特許文献１記載のゲーム装置がある。このゲーム装置本体とゲーム機用コントローラは無線通信を行うようになっており、ゲーム装置本体にゲーム機用コントローラを装着した状態、取り外した状態のいずれであってもゲームを行うことができるようになっている。ゲーム装置本体の左側縁には左手で把持しやすい外形に形成した左手用ゲーム機用コントローラが装着可能であり、ゲーム装置本体の右側縁には右手で把持しやすい外形に形成した右手用ゲーム機用コントローラが装着可能になっている。
左右それぞれのゲーム機用コントローラは、指先で操作可能に配置された複数の操作スイッチを平面上に配置した操作面を有しており、この操作面と直交する側面に、ゲーム装置本体と嵌合するための凸縁を設けた装着手段を有している。また、ゲーム機用コントローラは、ゲーム装置本体と通信等に必要な電力を保持する充電可能なバッテリを内蔵しており、ゲーム機用コントローラの制御やバッテリに対する充電に用いる被給電用電極を有している。そして、この被給電用電極は装着手段の内面に配置されており、ゲーム機用コントローラを手で握っても、手が被給電用電極に接触しないように構成されている。
【０００３】
特許文献１記載のゲーム機用コントローラは、本体装置が備えるアリ溝状の装着部に凸縁からなる装着手段をスライドさせながら装着させるようになっている。コントローラ側装着部の端部には駆動と充電に使用する電力を取得するための電極を設けた突出した部位が設けられており、スライドを伴う装着に伴って突出した部位を本体装置に設けた給電用電極を備えた挿入部に挿入させ電力を取得するようになっている。
【先行技術文献】
【特許文献】
【０００４】
【特許文献１】特許第６１２１０３４号公報
【考案の概要】
【考案が解決しようとする課題】
【０００５】
上記従来のゲーム機用コントローラは、本体装置に対してスライドを伴って挿入部に差し込まなければ、コントローラ側スライド部材の端部に設けた電極によって給電を受けることができないものであった。
本考案は、上記と同様の構造を有するゲーム機用コントローラを装着可能なゲーム機用コントローラホルダにおいて、スライドさせることなく装着することができ、かつゲーム機用コントローラホルダをスライドさせることなく駆動もしくは充電用の電力を供給できる新たな技術を提供するものである。
【課題を解決するための手段】
【０００６】
上記課題を解決するために本考案は以下の構成を有する。すなわち、給電機能付きゲーム機用コントローラホルダであって、
把持した手の指先によって操作可能な複数の操作スイッチを設けたゲーム機用コントローラを収容可能な凹所として形成した２カ所の装着部と、
前記２カ所の装着部において収容した前記ゲーム機用コントローラを固定する操作式の固定手段と、
前記固定手段と連動して移動する給電用電極を設けた可動部材と、
外部電源から電力を取得する電力取得手段と、
前記電力取得手段によって取得した電力を前記給電用電極に伝達する伝達手段と、
前記固定手段の操作によって前記ゲーム機用コントローラが固定されるとともに、前記可動部材の移動に伴って給電用電極が前記ゲーム機用コントローラの被給電用電極に接触するよう構成されたことを特徴とする。
【０００７】
また、本考案は上記給電機能付きゲーム機用コントローラホルダにおいて以下の構成を有する。すなわち、
前記ゲーム機用コントローラが、
前記複数の操作スイッチを配置した平面状の操作面と、
当該操作面と直交する長手方向の側面に設けられた操作するゲーム機に装着するための装着手段を有し、
前記被給電用電極が前記装着手段の末端に設けられた突出部の内面に設けられたものであることを特徴とする。
【０００８】
また、本考案は上記給電機能付きゲーム機用コントローラホルダにおいて以下の構成を有する。すなわち、
前記２カ所の装着部は、前記ゲーム機用コントローラの操作面と当該操作面前方の前側面部を除く外周面を覆う凹所として形成されていることを特徴とする。
【０００９】
また、本考案は上記給電機能付きゲーム機用コントローラホルダにおいて以下の構成を有する。すなわち、
前記固定手段は、前方部において軸支された回動可能な略長方形状の板状体として前記２カ所の装着部の間に配置されており、
長手方向の両側縁に前記ゲーム機用コントローラの装着手段と係合して前記装着部からの離脱を防止する係合手段を備えたものであり、
回動する端部の内面側に前記可動部材との係合によって当該可動部材を移動させる突起を設けたことを特徴とする。
【００１０】
また、本考案は上記給電機能付きゲーム機用コントローラホルダにおいて以下の構成を有する。すなわち、
前記固定手段に設けた係合手段が、下方に向かって形成した凸条であって、当該凸条を前記ゲーム機用コントローラの装着手段として形成した溝に係合させるものであることを特徴とする。
【考案の効果】
【００１１】
本考案に係るゲーム機用コントローラホルダは、小型に形成された片手持ち型のゲーム機用コントローラを２つ装着することで、旧来型の両手持ち型のゲーム機用コントローラのように使用することができるという効果を有している。また、ゲーム機用コントローラに対して電力を供給できるので、外部電源に接続している限り、電池切れ（電力切れ）を気にすることなく使用を続けることが可能であるという効果を有している。
さらに、ゲーム機用コントローラホルダに対するゲーム機用コントローラの装着は、装着部として形成した凹所に上方から入れた（置いた）後に、開閉蓋のような板状体として形成した固定手段を閉じるだけの操作で行うことができる。すなわち、溝に合わせてスライドさせるような装着方法が必要なく簡単な操作で装着できるという効果を有している。
【図面の簡単な説明】
【００１２】
【図１】本考案に係るゲーム機用コントローラホルダとゲーム機用コントローラを表した斜視図である。
【図２】本考案に係るゲーム機用コントローラホルダに装着可能なゲーム機用コントローラの一例を表した斜視図である。
【図３】本考案に係るゲーム機用コントローラホルダにゲーム機用コントローラを装着した状態の斜視図である。
【図４】本考案に係るゲーム機用コントローラホルダにゲーム機用コントローラを装着した状態の下方から見た状体の斜視図である。
【考案を実施するための形態】
【００１３】
以下本考案の一実施の形態を図を用いて説明する。図１において１は本考案に係るゲーム機用コントローラホルダ（以下「ホルダ」という）を表している。ホルダ１は、２つのゲーム機用コントローラ（以下「コントローラ」という）２ａ、２ｂを収容する収容部３ａ、３ｂを有している。収容部３ａは左手用として形成されたコントローラ２ａを収容する収容凹部として形成され、収容部３ｂは右手用として形成されたコントローラ２ｂを収容する収容凹部として形成されている。
【００１４】
収容部３ａ、３ｂはホルダ１の中央に対して略左右対称を為す位置に設けられた凹部であり、収容部３ａ、３ｂは操作スイッチを設けた部位を除くコントローラ２（２ａ、２ｂ）の外形に即した内面形状に形成されている。収容部３ａ、３ｂの前方部分は切り欠かれたように開口しており、装着したコントローラ２ａ、２ｂの先端部に設けられているスイッチ類を露出させるようになっている。収容部３ａ、３ｂには、上方からのみコントローラ２ａ、２ｂを装着できるようになっており、コントローラ２ａ、２ｂと係合してコントローラ２ａ、２ｂの前後動を制限する制限手段が設けられている。
【００１５】
ホルダ１は、両手で把持してスイッチ類を操作するタイプのゲーム機用コントローラに近似した外観形状を為している。ホルダ１は、収容部３ａ、３ｂを対称位置に配置するとともに、収容部３ａ、３ｂを設けた部位の外形を把持部４ａ、４ｂとして手で保持しやすいよう膨らみを設けた形状に形成している。
収容部３ａ、３ｂは略コントローラ一個分の間隔を隔てて平行に配置されている。収容部３ａと収容部３ｂの間はコントローラ２ａ、２ｂを固定するための固定手段（開閉部材９）や、コントローラ２ａ、２ｂに対する給電手段（電極端子２３）を設けた中央部５が配置されている。また、中央部５の先端面には、外部から電力を取得するコネクタ（電力取得手段）２６が設けられており、コネクタ２６から取得した電力を電極端子２３を介してコントローラ２ａ、２ｂに供給するように構成されている。
【００１６】
収容部３ａ底部の中央部５側には、１〜２ｍｍ程度の高さを有する凸条６が設けられており、凸条６と中央部５の間には溝７が形成されている。凸条６と溝７は、詳細には後述するコントローラ２ａが有する凸縁４１と係合する部位である。凸条６の先端部付近には、収容部３ａに収容されたコントローラ２ａと接触して前方への移動を制限する制限手段を構成する凸条２０が設けられている。
同様に他方の収容部３ｂ内底部の中央部５側にも、１〜２ｍｍ程度の高さを有する凸条６が設けられており、この凸条６によって中央部５の間に溝７が形成された構造を有している。この凸条６と溝７は、収容部３ｂに収容されたコントローラ２ｂに設けられた一側の凸縁４３と係合するようになっており、他の構造的特徴は収容部３ａと略同一である。
【００１７】
中央部５には、先端部８において回動可能に軸受けされた長方形状の外形を有する板状の開閉部材９が設けられており、閉時に先端部８から後端部１０に渡る中央部５の上面を覆うように構成されている。開閉部材９の長手方向の両側縁には、それぞれの収容部３ａ、３ｂ内に設けた凸条６と対向するように凸縁１２が設けられている。
凸縁１２は、それぞれ収容部３ａ内に収容したコントローラ２ａに設けられた一側の凸縁４２および収容部３ｂ内に収容したコントローラ２ｂに設けられた一側の凸縁４４と係合するようになっている。
開閉部材９が閉じて側縁の両サイドの凸縁１２が両コントローラ２ａ、２ｂの凸縁４２、凸縁４４に係合すると、収容部３ａ、３ｂ内に収容したコントローラ２ａ、２ｂの自由移動を制限するとともに取り外しを防止して装着状態を維持するようになっている。
【００１８】
回動する開閉部材９の末端部内面には、中央部５側に向かって突出した突起１３が設けられている。突起１３は、給電手段を内蔵した可動部材２１表面の凹所１５と係合して保持されるようになっている。可動部材２１は、この係合に伴って前方に向かって移動し内蔵した給電部（突出片２２，給電用電極２３）を前方側に向かって移動させることでコントローラ２ａ（２ｂ）の被給電部（突出部５０、電極５１）を介して電力を供給するようになっている。突起１３は凹所１５内で保持されるようになっており、開閉部材９の末端を持ち上げる力によって保持状態が解除されるようになっている。なお、開閉部材９が閉じた状態の保持および解除を行うには様々な手法があり、図示した例に限らない。
【００１９】
改めて、コントローラの構造について説明する。図２はコントローラ２ａの説明図である。図２（ａ）は上面側を表した平面図、図２（ｂ）は斜視図、図２（ｃ）は後端側から見た正面図を表している。
コントローラ２ａは左手用として形成された片手操作が可能なものであり、背景技術で説明したような液晶画面を有したゲーム装置（図示せず）の左側縁に装着可能に形成されたものである。
コントローラ２ａの上面４５は平坦に形成されており、ゲーム操作を行う複数のスイッチ４６（４６ａ、４６ｂ）が設けられている。上面４５に直交する側面４７にはゲーム装置と接続するための装着手段４８が設けられている。装着手段４８は、コントローラ２ａの長手方向に亘って設けた上面４５側と反対面側方向に向かって突出させた凸縁４１、上面４５側に向かって突出させた凸縁４２を有したものである。装着手段４８（凸縁４１、凸縁４２）は、ゲーム装置の断面Ｔ型を成したあり溝状の係合凹部に係合可能であり、端部から差し入れてスライドさせることでゲーム装置に装着できるようになっている。
【００２０】
また、凸縁４１および凸縁４２を設けることによって、コントローラ２ａの本体部５２との間にそれぞれ溝５３、５４が形成されている。
なお、図２に示した凸縁４１、凸縁４２は連続した一本の凸条として形成されているが、これと同様の機能を発揮するものであれば、連続しない途中で途切れた形状であってもよい。
凸縁４１および凸縁４２を設けた装着手段４８の末端部は筐体部と連結していない板状の突出部５０となっており、この突出部５０の本体部５２側に面した内面には被給電用の電極（複数の接点群）５１が設けられている。突出部５０は、コントローラ２ａのスライドを伴う装着によってゲーム装置の給電部に差し込むことができるように形成されており、ソケットに差し込まれるプラグ端子のように接点同士を接合させて電気的な導通を行わせる部位として構成されている。
【００２１】
以上左手用のコントローラ２ａの構造の概略を説明したが、右手用のコントローラ２ｂも細部を除き同様の構成を有している。筐体の外形については左手用のコントローラ２ａと対称形状に形成されており、上面４５ｂには複数のスイッチ４６ａ、４６ｂが設けられている。また、コントローラ２ｂの本体部５５には、コントローラ２ａと同様に凸縁４３、凸縁４４を有した装着手段４８が設けられている。その他主な構成はコントローラ２ａと同一であるので、詳細についての説明は省略する。
【００２２】
図３（ａ）はコントローラ２ａ、２ｂをホルダ１に装着した状態を表した斜視図である。二点鎖線で示した円で囲んだＡ部については、その下方に拡大図を表している。コントローラ２ａ、２ｂは、収容部３ａ、３ｂの開口側からのみ装着可能である。すなわち、コントローラ２ａ、２ｂは収容部３ａ、３ｂに装着された後は、上方（表面側）への移動を除き移動が制限された状態で保持される。
ホルダ１の後方側中央には、前後方向に往復移動可能な可動部材２１が設けられている。可動部材２１には、可動部材２１の往復移動に伴って収容部３ａ、３ｂ内に進退移動する突出片２２が一体的に設けられている。この突出片２２の内面には、コントローラ２ａの電極５１に接触させる給電用の電極端子（給電用電極）２３が配設されている。
【００２３】
突出片２２の内面に配設した給電用電極２３は、可動部材２１の前方への移動に伴って収容部３ａの内部方向へ移動する。可動部材２１が前方へ移動する際にコントローラ２ａが収容部３ａに収容されている場合、コントローラ２ａの本体部５２と突出部５０間の空間４９に突出片２２が移動して挿入される。この空間４９に突出片２２が挿入されると、給電用電極２３がコントローラ２ａの電極５１に接触して電気的に導通し、外部電源から取得した電力をコントローラ２ａに供給可能になる。
【００２４】
図３（ｂ）は、可動部材２１を前方に移動させた状態を表している。可動部材２１の前方への移動は、開閉部材９の開閉動作と連動して行われるようになっている。
開閉部材９の端部には内側に向かって突出したテーパ面１６を設けた突起１３が設けられており、可動部材２１の上面には内部にテーパ面１８を形成した凹所１５が設けられている。開閉部材９の突起１３が後退状態にある可動部材２１の凹所１５に嵌入すると、突起１３のテーパ面１６が凹所１５内のテーパ面１８と接触して前方に移動させる作用が生じ、これに伴い可動部材２１が前方に移動する。すなわち、開閉部材９の閉じ動作に伴って可動部材２１が前方に移動し、これに伴い同時にコントローラ２ａの電極５１に給電用電極２３が接触するようになっている。給電用電極２３は、電力の伝達手段である電気的な配線もしくは回路（図示せず）を介してホルダ先端に設けたコネクタ部（電力取得手段）２６と接続されており、コネクタ部２６を介して外部電源と接続されることで、外部から所得した電力をコントローラ２ａに供給するようになっている。
【００２５】
また、開閉部材９が閉じた場合、可動部材２１の移動とともに、開閉部材９に設けた凸縁１２がコントローラ２ａの本体部５１と凸縁４２の間の溝５４に係合し、コントローラ２ａを上方から押さえてホルタ１からの脱落を防止するようになっている。同様に、コントローラ２ｂも、開閉部材９によってホルタ１からの脱落が防止されるようになっている。
【００２６】
中央部５前方部の表面には、２つのＬＥＤ２４が設けられており、開閉部材９のＬＥＤ２４と重なる位置に開口２５が設けられている。ＬＥＤ２４は、コントローラ２ａ、２ｂ対して充電用の電力が流れている場合に発光するようになっており、満充電に近くなり電流量が一定以下になると消灯するようになっている。
【００２７】
本考案に係るホルダは、握った手の親指や人差し指で操作スイッチを操作する片手持ちタイプの小型コントローラを装着することで、旧来一般的に用いられている両手把持型のコントローラの形態で使用することができるようにしたものである。また、小型コントローラはゲーム機と通信を行うものであるため通信機能等の制御に使用する電力を必要とするが、本考案に係るホルダはゲームプレイ中においてもコントローラに対して電力を供給できるようになっている。
【００２８】
本考案に係るホルダは、片手持ち型の小型のコントローラを２つ装着して開閉部材を閉じる操作に連動してコントローラを固定するとともに、コントローラの電極を設けた部位に給電用電極を自動的に差し込んで給電可能な状態にするものである。また、ホルダに対するコントローラの装着は開口している上部から入れるだけでコントローラ自体をスライドさせたり差し込む操作は必要なく、凹所に入れて蓋（開閉部材）を閉じるだけで固定と給電が可能になるという特徴を有している。
なお、本実施の形態では、コントローラの固定手段として開閉操作式の開閉部材９を用いたが、同一の機能を発揮するものであれば、他の操作方式を採用した手段を用いてもよく本考案の技術的範囲に属するものである。また、固定手段と連動する可動部材によってコントローラの電極に給電用電極を装着できるものであれば、本実施の形態で説明したものに限らず他の形態の手段を用いてもよく本考案の技術的範囲に属するものである。
また、上記実施の形態に係るホルダは、外部電源から取得した電力をＬＥＤ２４の発光回路を介して直接的にコントローラの電極に給電する電力の伝達手段を有しているが、伝達手段は外部電源から取得した電力を蓄積するバッテリを有したものでもよい。
【００２９】
なお、以上の説明は本考案の一例であって、実用新案登録請求の範囲を上記の例に限定することを意図したものではない。また、上記考案の実施の形態は、実用新案登録請求の範囲に記載した考案の要旨を逸脱しない範囲で適宜の変更、追加、組み合わせ、置き換え、省略等を行うことが可能であり、これらについても実用新案登録の範囲に記載された考案の技術的範囲に含まれるものである。
【産業上の利用可能性】
【００３０】
本考案は、ビデオゲーム装置に使用するコントローラを装着することで充電およびゲームプレイを行わせることが可能なゲーム機用コントローラホルダに利用可能である。
【符号の説明】
【００３１】
１      ゲーム機用コントローラホルダ（ホルダ）
２（２ａ、２ｂ） コントローラ
３（３ａ、３ｂ） 収容部（装着部）
４（４ａ、４ｂ） 把持部
５      中央部
６      凸条
７      溝
８      先端部
９      開閉部材
１０    後端部
１２    凸縁
１３    突起
１５    凹所
１６    テーパ面
１８    テーパ面
２０    制限手段
２１    可動部材
２２    突出片
２３    給電用電極
２４    ＬＥＤ
２５    開口
２６    コネクタ（電力取得手段）
４１、４２、４３、４４， 凸縁
４５    上面
４６（４６ａ、４６ｂ）  スイッチ
４７    側面
４８    装着手段
４９    空間
５０    突出部
５１    電極（被給電用電極）
５２    本体部
５３、５４      溝
５５    本体部
【図１】
0003230077.tif 000003
【図２】
0003230077.tif 000004
【図３】
0003230077.tif 000005
【図４】
0003230077.tif 000006